(57)【要約】【課題】収容物品を確実かつ容易に取り出すことができ、しかも修復が容易な保管庫を提供する。【解決手段】本体部２に開閉可能に取り付けられた扉３と、扉３の開閉を規制する錠８とを備えて本体部２内に物品を収容可能に構成され、錠８は、取付板７を介して扉３に取り付けられ、取付板７は、錠８を扉３に取り付けた状態において所定の力が加えられたときに破壊または変形して錠８の扉３からの離脱を許容可能に構成されている。この場合、取付板７を平板状に形成して一方の面に溝部を形成することができる。【選択図】図１
2006299592.tif 000002
【特許請求の範囲】
【請求項１】
収容部本体に開閉可能に取り付けられた扉と、当該扉の開閉を規制する錠とを備えて前記収容部本体内に物品を収容可能に構成され、
前記錠は、取付部材を介して当該扉に取り付けられ、
前記取付部材は、前記錠を前記扉に取り付けた状態において所定の力が加えられたときに破壊または変形して当該錠の前記扉からの離脱を許容可能に構成されている保管庫。
【請求項２】
前記取付部材は、平板状に形成されると共に、当該取付部材の少なくとも一方の面に溝部が形成されて構成されている請求項１記載の保管庫。
【請求項３】
前記溝部は、前記取付部材の一方の面のみに形成され、
前記取付部材は、前記溝部が形成された面が前記収容部本体の内部側を向いた状態で取り付けられている請求項２記載の保管庫。
【発明の詳細な説明】
【技術分野】
【０００１】
本発明は、収容部本体に開閉可能に取り付けられた扉と、扉の開閉を規制する錠とを備えて収容部本体内に物品を収容可能に構成されている保管庫に関するものである。
【背景技術】
【０００２】
この種の保管庫として、スチール製の板材によって形成された収納部の前面に扉が設けられたロッカーが特開平１０−１３７０６１号公報に開示されている。この場合、このロッカーは、扉に固定された錠によって扉を施錠可能に構成されている。
【０００３】
【特許文献１】特開平１０−１３７０６１号公報（第３頁、第１図）
【発明の開示】
【発明が解決しようとする課題】
【０００４】
ところが、この従来のロッカーには、以下の問題点がある。すなわち、このロッカーを初めとして従来のロッカーでは、通常、鍵を使用しなければロッカー内に収容された物品を取り出すことが困難である。また、火災や災害のような緊急時において鍵はないがロッカー内の収容物品を取り出したいときには、錠が扉に固定されているため、扉または錠のいずれかを破壊しなければならない。したがって、そのロッカーを修復して改めて使用するためには、破壊された錠または扉を交換しなければならず、その交換に多額の費用を要するという問題点がある。
【０００５】
本発明は、かかる問題点に鑑みてなされたものであり、収容物品を確実かつ容易に取り出すことができ、しかも修復が容易な保管庫を提供することを主目的とする。
【課題を解決するための手段】
【０００６】
上記目的を達成すべく請求項１記載の保管庫は、収容部本体に開閉可能に取り付けられた扉と、当該扉の開閉を規制する錠とを備えて前記収容部本体内に物品を収容可能に構成され、前記錠は、取付部材を介して当該扉に取り付けられ、前記取付部材は、前記錠を前記扉に取り付けた状態において所定の力が加えられたときに破壊または変形して当該錠の前記扉からの離脱を許容可能に構成されている。
【０００７】
請求項２記載の保管庫は、請求項１記載の保管庫において、前記取付部材は、平板状に形成されると共に、当該取付部材の少なくとも一方の面に溝部が形成されて構成されている。
【０００８】
請求項３記載の保管庫は、請求項２記載の保管庫において、前記溝部は、前記取付部材の一方の面のみに形成され、前記取付部材は、前記溝部が形成された面が前記収容部本体の内部側を向いた状態で取り付けられている。
【発明の効果】
【０００９】
請求項１記載の保管庫では、錠を扉に取り付けた状態において所定の力が加えられたときに取付部材が破壊することによって錠の扉からの離脱が許容される。したがって、通常時には鍵で錠を解錠できるのは勿論のこと、緊急時には取付部材を破壊することによって鍵を用いることなく解錠することができるため、収容物品を確実かつ容易に取り出すことができる。また、緊急解錠時に破壊するのは安価な取付部材だけのため、取付部材を交換するだけでよい結果、安価でしかも容易に使用可能な状態に修復することができる。
【００１０】
また、請求項２記載の保管庫によれば、取付部材を平板状に形成すると共に少なくとも一方の面に溝部を形成して構成したことにより、取付部材を確実かつ容易に破壊することができる。
【００１１】
また、請求項３記載の保管庫では、溝部を形成した面が収容部本体の内部側に向いた状態で取付部材を扉に取り付けたことにより、溝部の存在が保管庫の外側からは視認されないため、関係者以外はその構成を知ることが困難となっている。したがって、不特定多数の人が出入りするような場所に保管庫を設置したとしても、収容部本体の収容物品の盗難や、保管庫自体に対するいたずらを予防することができる。
【発明を実施するための最良の形態】
【００１２】
最初に、ロッカー１の構成について、図面を参照して説明する。
【００１３】
ロッカー１は、本発明に係る保管庫の一例であって、図１，２に示すように、本体部２および扉３を備えて、本体部２内に物品（図示せず）を収容可能に構成されている。本体部２は、本発明における収容部本体に相当し、前面側が開口した縦長の箱状に構成されている。具体的には、本体部２は、それぞれスチールで形成された底板、左右側板、天板および背板の各板体を互いに連結して形成されている。
【００１４】
扉３は、本体部２の前面側に配置され、一対の蝶番を介して本体部２における右側板の縁部に開閉可能に取り付けられている。また、扉３には、図１，２に示すように、窓４、一対の保持具５，６、取付板７および錠８が配設されている。さらに、扉３には、取付板７を扉３に配設した状態でその一部を扉３の外側に露出させるための矩形状の孔３ａが形成されている。なお、扉３には、その縁部に強度を確保するための折り返しも形成されている。窓４は、扉３の上部側に加工された矩形状の孔に透明なポリカーボネート板をはめ込むことによって形成され、扉３が閉じられた状態においてロッカー１の収容物品を前側（表側）から確認するために用いられる。
【００１５】
一対の保持具５，６は、取付板７を保持するために、図２に示すように、扉３の裏面において孔３ａの上下にそれぞれ配設されている。具体的には、上側に配設された保持具５は、その下部側が扉３から離間した状態でその上部側が扉３に貼り付けられており、下部側と扉３の裏面との隙間に差し込まれた取付板７の上部側を保持する。一方、下側に配設された保持具６は、その上部側が扉３から離間した状態でその下部側が扉３に貼り付けられており、上部側と扉３の裏面との隙間に差し込まれた取付板７の下部側を保持する。なお、取付板７は、保持具５，６の横方向から差し込まれた状態では、保持具５，６によって保持されつつ横方向への移動が自由となっている。このため、このロッカー１では、取付板７は、奥まで差し込まれた状態で保持具５，６の各縁部５ａ，６ａ（図３参照）が扉３の裏面側に向けて潰されることにより、その移動が規制されている。
【００１６】
取付板７は、本発明における取付部材に相当し、例えば、不透明なアクリル樹脂を材料として、図４に示すように、矩形状かつ平板状（一例として、厚み３ｍｍ）に形成されている。また、取付板７には、錠８を取り付ける際に錠８の一部が貫通可能な貫通孔１１、および緊急時などに所定の力が加えられたときに取付板７の破壊を容易とするための溝部１２，１３が形成されている。
【００１７】
貫通孔１１は、施錠または解錠する際の錠８の回転を規制するために、錠８の断面形状と相補的な形状であるトラック形状に形成されている。なお、溝部１２，１３は、図５に示すように、深さ２ｍｍ、幅１ｍｍのＶ字状の断面形状になるように取付板７の一方の面に形成されている。溝部１２は、図４に示すように、貫通孔１１の外側において円形状に形成されている。また、溝部１３は、円形状の溝部１２の内側において溝部１２の中心を中心とする複数の放射線状に形成されている。このため、取付板７における貫通孔１１の周囲の部位は、溝部１２，１３によって薄肉に形成されているため、破壊や変形が容易となっている。
【００１８】
錠８は、図６，７に示すように、錠本体２１、ナット２２、規制片２３およびボルト２４を備えて構成され、取付板７を介して扉３に取り付けられた状態で扉３の開閉を規制する。錠本体２１は、鍵穴部２１ａ、係合部２１ｂおよび回動部２１ｃを備えて構成されている。鍵穴部２１ａは、その前面に鍵穴が形成されて鍵の抜き差しを可能に構成されている。係合部２１ｂは、取付板７の貫通孔１１と相補的な形状、つまり円柱の左右の側面を平行に切り欠いたトラック形状に形成されると共に、切り欠かれていない部分に雄ねじが形成されている。回動部２１ｃは、錠本体２１に差し込まれた鍵の回転に合わせて回動可能に構成されている。また、回動部２１ｃの端部には、ボルト２４と螺合可能なボルト穴が形成されている。
【００１９】
ナット２２は、係合部２１ｂの雄ねじに螺合可能に形成されて、鍵穴部２１ａと共に取付板７を挟み込むことによって錠本体２１を取付板７に固定する。規制片２３は、長尺平板に形成されると共に一方の端部側にボルト２４を貫通させる貫通孔を備えて形成されている。また、規制片２３は、回動部２１ｃに固定された状態において回動部２１ｃの回動に応じて回動する。したがって、規制片２３は、他方の端部が倒れる方向に回動した状態では扉３の開閉を規制し、起き上がる方向に回動した状態では扉３の開閉を許容する。ボルト２４は、規制片２３を挟んだ状態で回動部２１ｃの端部に螺合することで、回動部２１ｃに規制片２３を固定する。
【００２０】
次に、錠８を扉３に取り付ける方法について、図６，７を参照して説明する。この際には、扉３を開いた状態において、まず、一対の保持具５，６の間にその横側から取付板７を差し込む。この際に、その端部が扉３の縁部に形成された折り返しに当接するまで取付板７を移動させる。これにより、図６の破線で示すように、孔３ａが塞がれる。この場合、溝部１２，１３の形成面が本体部２の内部側を向いた状態となるように取付板７を取り付ける。これにより、溝部１２，１３を扉３の表側から視認できない状態となる。次いで、保持具５，６の縁部５ａ，６ａを押し潰す。これにより、取付板７は、左右方向への移動を規制された状態で扉３に固定される。
【００２１】
続いて、固定された取付板７の貫通孔１１に扉３の前側から錠８の錠本体２１を挿入する。この際に、扉３の後側からナット２２を係合部２１ｂの雄ねじに締め込んで、錠本体２１の鍵穴部２１ａと共に錠本体２１を取付板７に固定させる。次いで、錠本体２１の回動部２１ｃのボルト穴に規制片２３の貫通孔を揃えた状態でボルト２４をねじ込む。これにより、規制片２３がボルト２４によって回動部２１ｃに固定される。この状態では、鍵穴部２１ａに差し込まれた鍵を回すことで回動部２１ｃが回動し、これに応じて規制片２３も回動する。
【００２２】
この場合、鍵穴部２１ａに鍵を差し込んで規制片２３の端部を倒す方向に鍵を回すことにより、図６に示すように、規制片２３の端部が本体部２に掛けられた状態になって、扉３の開閉が規制される。つまり、錠８が施錠される。これとは逆に、規制片２３の端部を起こす方向に鍵を回すことにより、規制片２３の端部が本体部２から外れた状態になって、扉３の開閉が許容される。つまり、錠８が解錠される。
【００２３】
一方、火災や災害時などの緊急時において本体部２内の収容物品（例えば、空気注入式の担架）を取り出す際に、鍵を紛失したなどの理由によって鍵で扉３を解錠できないこともある。このような場合、取付板７を破壊して扉３を解錠する。この際には、まず、図７に示す矢印Ｂの方向から拳などで叩いて取付板７における鍵穴部２１ａの付近に所定の力を加える。なお、この「所定の力」とは、通常の使用時に加わる力よりも強い力であって、人が素手などで叩く程度のある程度強い力を意味している。続いて、所定の力が加わることにより、取付板７における溝部１２，１３によって形成される薄肉部位に応力が集中するため、錠８の取付位置の周囲に形成されたこの薄肉部位で取付板７が破損する。このため、錠８は、その周囲の取付板７ごと扉３から離脱して、ロッカー１の内部側に落下する。これに伴って、錠８が本体部２の底板に衝突することに起因して、大きな音が発生する。次いで、使用者は、扉３の取っ手に手を掛けて扉３を開くことで本体部２内の収容物品を取り出すことができる。
【００２４】
一方、新しい取付板７を取り付ける際には、まず、取付板７を固定する際に潰した保持具５，６の縁部５ａ，６ａを持ち上げて元の形状に復帰させる。次いで、破損した取付板７を保持具５，６に沿って横方向に移動させて取り外す。続いて、上記した方法で新しい取付板７を扉３に取り付けると共に、錠８を取付板７に取り付ける。この結果、ロッカー１を容易に修復することができる。
【００２５】
このように、このロッカー１では、錠８を扉３に取り付けた状態において所定の力が加えられたときに取付板７が破壊することによって錠８の扉３からの離脱が許容される。したがって、通常時には鍵で錠８を解錠できるのは勿論のこと、緊急時には取付板７を破壊することによって鍵を用いることなく解錠することができるため、収容物品を確実かつ容易に取り出すことができる。また、緊急解錠時に破壊するのは安価な取付板７だけのため、取付板７を交換するだけでよい結果、安価でしかも容易に使用可能な状態に修復することができる。
【００２６】
また、このロッカー１によれば、取付板７を平板状に形成すると共に少なくとも一方の面に溝部１２，１３を形成して構成したことにより、取付板７を確実かつ容易に破壊することができる。
【００２７】
さらに、このロッカー１では、溝部１２，１３を形成した面が本体部２の内部側に向いた状態で取付板７を扉３に取り付けたことにより、溝部１２，１３の存在がロッカー１の外側からは視認されないため、関係者以外はその構成を知ることが困難となっている。したがって、不特定多数の人が出入りするような場所にロッカー１を設置したとしても、本体部２の収容物品の盗難や、ロッカー１自体に対するいたずらを予防することができる。この場合、盗難やいたずらを予防するために、「緊急時に中の物品を取り出すときには鍵付近を手で叩いてください。大きな音がします。」というような注意書きを記載した印刷物を扉３に貼り付けて注意を促すこともできる。なお、本例では取付板７の一方の面に溝部１２，１３を形成する構成について説明したが、溝部１２，１３を取付板７の両面に形成することもできる。また、不透明なアクリル樹脂に代えて、例えばスチロール樹脂などの透明な材料を用いることができる。
【００２８】
なお、本例では本発明に係る保管庫をロッカーに適用する例について説明したが本発明はこれに限定されず、下駄箱などに適用することもできる。また、取付板７の破壊によって錠８を扉３から離脱させる構成について説明したが、取付板７を変形させることによって錠８を扉３から離脱させる構成を採用することもできる。さらに、保持具５，６を破壊させたり変形させることにより、錠８の扉３からの離脱を許容する構成を採用することもできる。この場合、保持具５，６と取付板７とが相俟って本発明における取付部材を構成する。この構成では、取付板７に加えられた所定の力が保持具５，６に伝わって、保持具５，６が破壊または変形することで錠８が扉３から離脱する。さらに、保持具５，６をプラスチック製のビスで固定して、所定の力が保持具５，６に加えられたときにビスが破壊したり変形することで、錠８が扉３から離脱する構成を採用することもできる。
【００２９】
また、取付板７は、所定の力が加えられたときに錠８の扉３からの離脱を許容するために錠８を破壊させることなく取付板７が破壊または変形するような材質で形成すればよく、例えば、ＡＢＳ樹脂やスチロール樹脂などのプラスチック材料や、ＭＤＦ（Medium Density Fiberboard）の木質素材などを用いた構成を採用することもできる。また、円形の溝部１２と複数の放射線状の溝部１３とを取付板７に形成する例について説明したが、取付板７に形成する溝部の形状や寸法も任意に設定することができる。また、本発明における溝部の一例として、取付板７にＶ字状の溝部１２，１３を形成する例について説明したが、溝部の形状を凹状にすることもできる。さらに、上記の各構成を適宜組み合わせることが可能なのは勿論である。
【図面の簡単な説明】
【００３０】
【図１】扉３を閉じた状態のロッカー１の斜視図である。
【図２】扉３を開いた状態のロッカー１の斜視図である。
【図３】取付板７を取り付けていない状態の扉３を図２に示す矢印Ａの方向から平面視した拡大平面図である。
【図４】取付板７の平面図である。
【図５】取付板７の溝部１２，１３付近における拡大断面図である。
【図６】図２に示す矢印Ａの方向から平面視した扉３の拡大平面図である。
【図７】図６におけるＣ−Ｃ線で切断した扉３の拡大断面図である。
【符号の説明】
【００３１】
１  ロッカー
２  本体部
３  扉
３ａ  孔
４  窓
５，６  保持具
７  取付板
８  錠
１１  貫通孔
１２，１３  溝部
２１  錠本体
２１ａ  鍵穴部
２１ｂ  係合部
２１ｃ  回動部
２２  ナット
２３  規制片
２４  ボルト
【図１】
2006299592.tif 000003
【図２】
2006299592.tif 000004
【図３】
2006299592.tif 000005
【図４】
2006299592.tif 000006
【図５】
2006299592.tif 000007
【図６】
2006299592.tif 000008
【図７】
2006299592.tif 000009